(57)【特許請求の範囲】
【請求項１】
筒状に形成された発泡機本体と、該発泡機本体の先端側に設けられた発泡網体と、前記発泡機本体内部の後端側に設けられ、前記発泡網体に向かって泡水溶液を放出する放射ノズルと、を備えた高膨張泡消火設備であって、
平常時は前記発泡機本体から突出させないように、前記発泡機本体に前記発泡網体を設けると共に、前記泡水溶液の放出時に前記発泡機本体の先端側開口部から外方向に前記発泡網体を突出させる発泡網伸縮機構を設けており、
前記発泡網体は、その上部が前記発泡機本体の先端開口部の上端部に取り付けられた上方網と、その下部が前記発泡機本体の先端開口部の下端部に取り付けられた下方網とから構成され、
前記発泡網伸縮機構は、前記発泡機本体の上端部に設けられ、前記上方網を回動させる上方ヒンジ機構と、前記発泡機本体の下端部に設けられ、前記下方網を回動させる下方ヒンジ機構とから構成されていることを特徴とする高膨張泡消火設備。
【請求項２】
前記上方網又は前記下方網の少なくともどちらか一方は、断面コ字状に形成され、両側部に垂直に設けられた側網を有することを特徴とする請求項１記載の高膨張泡消火設備。
【請求項３】
前記上方網及び前記下方網の先端に、所定の角度で前記上方網及び下方網がそれぞれ固定されるロック機構を有することを特徴とする請求項１乃至２いずれかに記載の高膨張泡消火設備。
【発明の詳細な説明】
【技術分野】
【０００１】
この発明は、例えば、石油タンクのピット、石油コンビナートのカルバート、或いは、船室、船倉、駐車場、各種危険物施設などで、消火剤を泡状に放出し、消火作業を行う高膨張泡消火設備に関するものである。
【背景技術】
【０００２】
この発明における高膨張泡消火設備とは、筒状筐体に形成された発泡機本体と該発泡機本体の先端開口部に設けられた消火用泡を生成する発泡網と、発泡機本体内部の後端側に設けられ、発泡網に向かって泡水溶液を放出する放射ノズルとから構成されている。
【０００３】
そして、放射ノズルから泡水溶液を放出し、放出された泡水溶液を発泡網に当てることにより発泡させ、火源を泡で埋め尽くし、窒息消火させる設備である。
【０００４】
この従来の高膨張泡消火設備は、消火用泡を生成する発泡網と該発泡網に泡水溶液を放出する放射ノズルとの間に十分な間隔を設けている。
これは、十分な間隔を設けることで、空気をたくさん吸引できるようにして、必要な発泡倍率を得るためである。このため、発泡機本体を形成する筐体はある程度の長さが必要である。
【０００５】
また、発泡倍率を高めるために、泡水溶液が発泡網と接触する接触面積を大きくするようにしている。
この接触面積を大きくするために、放射ノズルに対向する発泡網は、平らな形状ではなく、円錐状に形成するか又は発泡機本体の先端側中央で、山型に突出するように網体の先端をく字状に折り曲げられた形状とされている。（例えば特許文献１参照）
【特許文献１】実開昭５８年１０７６２号公報
【発明の開示】
【発明が解決しようとする課題】
【０００６】
上記のように、接触面積を大きくするために、平坦な発泡網を使用せず、発泡網の先端部を折り曲げ形成した発泡網を、発泡機本体の開口部から外方に突出して設ける装置が考えられるが、この様な発泡機本体の先端側中央で山型に突出するように折り曲げられた形状の発泡網は、発泡機本体から出っ張ってしまい、設置面積が大きくなり、また平常時には邪魔となる問題がある。
【課題を解決するための手段】
【０００７】
この発明は上記課題を解決するために、筒状に形成された発泡機本体と、該発泡機本体の先端側に設けられた発泡網体と、前記発泡機本体内部の後端側に設けられ、前記発泡網体に向かって泡水溶液を放出する放射ノズルと、を備えた高膨張泡消火設備であって、平常時は前記発泡機本体から突出させないように、前記発泡機本体に前記発泡網体を設けると共に、前記泡水溶液の放出時に前記発泡機本体の先端側開口部から外方向に前記発泡網体を突出させる発泡網伸縮機構を設けており、前記発泡網体は、その上部が前記発泡機本体の先端開口部の上端部に取り付けられた上方網と、その下部が前記発泡機本体の先端開口部の下端部に取り付けられた下方網とから構成され、前記発泡網伸縮機構は、前記発泡機本体の上端部に設けられ、前記上方網を回動させる上方ヒンジ機構と、前記発泡機本体の下端部に設けられ、前記下方網を回動させる下方ヒンジ機構とから構成されていることを特徴とする高膨張泡消火設備である。
【０００８】
また、前記発泡網体は、その上部が前記発泡機本体の先端開口部の上端部に取り付けられた上方網と、その下部が前記発泡機本体の先端開口部の下端部に取り付けられた下方網とから構成され、前記発泡網伸縮機構は、前記発泡機本体の上端部に設けられ、前記上方網を所定の角度だけ回動させる上方ヒンジ機構と、前記発泡機本体の下端部に設けられ、前記下方網を所定の角度だけ回動させる下方ヒンジ機構とから構成されていることを特徴とする高膨張泡消火設備としたことである。
【０００９】
また、前記発泡網体の上方網又は前記下方網の少なくともどちらか一方は、断面コ字状に形成され、両側部に垂直に設けられた側網を有することを特徴とする高膨張泡消火設備としたことである。
【００１０】
また、前記発泡網体の上方網及び前記下方網の先端に、所定の角度で前記上方網及び下方網がそれぞれ固定されるロック機構を有することを特徴とする高膨張泡消火設備としたことである。
【発明の効果】
【００１３】
平常時は発泡網体を収納して小さくし、放射ノズルから泡水溶液を放射する際にだけ伸長できる。そのため、発泡網体が発泡機本体から出っ張らず省スペースで設置きる。
また、火災時には伸長して放射ノズルと発泡網体間に十分な距離を空ける事ができ、十分な発泡倍率を維持できる。
【発明を実施するための最良の形態】
【００１４】
この発明の実施の形態を実施例に基づき図面を参照して説明する。
【実施例１】
【００１５】
図１〜図４において、１は横長方形筐体から成る筒状の発泡機本体であり、該発泡機本体１の先端側開口部２に発泡網体３を、一方、発泡機本体１の後端部に前記発泡網体３に向け泡水溶液を放出する放射ノズル４設ける。
【００１６】
発泡機本体１の先端開口部２に設けた発泡網体３の発泡網伸縮機構を以下の構成とする。
発泡網体３は上方網５と下方網６とで構成され、上方網５は発泡機本体１の開口部２の上端面に取付けた上方ヒンジ機構７によって所定の角度、例えば４５度だけ外方向に回動可能に支持され、また、図５の（ａ）〜（ｃ）図に示す様に上方網５は、下端縁に前方に回動傾倒してきた下方網６の下端縁を支持するロック機構９が設けられている。
【００１７】
発泡網体３の上方網５の下端縁に設けた鉤状の係合部材から成るロック機構９によって支持される下方網６は、図６の（ａ）〜（ｃ）及び図７に示すとおり、下端縁を下方ヒンジ機構８に所定の角度、例えば４５度の近傍だけ外方向に傾倒可能に支持される垂直に起立した方形状の正面網６ａと、その正面網６ａの両側面に二等辺三角形状の側網６ｂを設けたコ字状の網体に構成されている。
なお、側網６ｂは発泡機本体１の内部に収納される様にしてもよい。
【００１８】
この様に構成したコ字状の下方網６を、発泡機本体１の先端開口部２の下端部に下方ヒンジ８を介して回動可能に取り付けるのであるが、二等辺三角形状の側網６ｂは、下方網６が外方向に回動したときに、発泡機本体１の筐体外側部に位置するように設置する。
また、正面網６ａの上端部には、上方網５の鉤状の係合部材から成るロック機構９に係合する鉤穴１０が設けてある。  
なお、側網６ｂの斜辺の長さを、下方網６の正面網６ａが所定角度まで傾倒した時に、筐体の天井面１ａに接する長さに、また、垂直に起立した正面網６ａの丈を、該正面網６ａと対峙する泡水溶液を放出する放射ノズル４の丈よりも高く形成するのが好ましい。
【００１９】
上記の様に構成した発泡網体３を、図１に示すとおり発泡機本体１の先端側開口部２に設置し、火災時に放射ノズル４から泡水溶液が放出され、その放出された泡水溶液の水圧で、上方網５と下方網６から成る発泡網体３は、図２の如く発泡機本体１の筐体内から前方に押し出される。  
【００２０】
上方網５と下方網６を発泡機本体１の先端開口部２に、図５〜図７に示すようなヒンジ機構７、８が設けられ、所定の角度だけ発泡網体３の上方網５と下方網６がそれぞれ回動し、発泡機本体１の先端開口部２より外方向に傾倒し、ロック機構９によって、図３の如く上方網５と下方網６は所定の角度でロックされ、発泡機本体１の先端開口部２より前方に突出した発泡網体３を配置させることができる。
また、ヒンジ機構７、８は、図７の如くボルト・ナット１５で取り付けられる。
【００２１】
さらに、上方網５の先端に設けた鉤状の係合部材から成るロック機構９が、下方網６の先端に設けた鉤穴１０に嵌合されるので、放射ノズル４から放出された泡水溶液の水圧が強くとも、両者はしっかりと結合された状態にあり、また、下方網６には側網６ｂが設けられているので、上方網５と下方網６の間に間隙を作らず、所定角度で固定される。
このように、ヒンジ機構７、８及びロック機構９によって、上方網５と下方網６は、所定の角度でロックされるが、その方法は適宜選択される。
また、回動した下方網６の側網６ｂの一端は、発泡機本体１の筐体の天井面に接触支持されているので、泡水溶液の水圧が強くとも発泡網体３が揺らぐことなく安定し、さらに、側網６ｂを設けたので、泡水溶液が横の穴から漏れることがなく、効率よく発泡できる。
また、発泡網体３と放射ノズル４との離間距離を大きくとることで、発泡倍率を高めることができる。
放水後は手動で下方網６を発泡機本体１の筐体内へ畳むことで復旧するので、設置場所を広くとる必要がない。
なお、上記実施例では下方網６を断面コ字状に形成したが、逆に上方網５を断面コ字状に形成してもよい。
また、両ヒンジ機構は、発泡機本体１の外側開口部２の上下端全長に亘って設けられているが、２つ以上に分割しても良い。
【実施例２】
【００２２】
第２実施例を図８〜図１３に基づき説明する。図８に示すとおり、横長方形筐体から成る筒状の発泡機本体２１、該発泡機本体２１の先端側開口部２２付近の筐体内に、発泡網伸縮機構により前後に摺動する発泡網体２３を収納し、また、発泡機本体２１の後端側に、発泡網体２３へ向かって泡生成用の泡水溶液を放出する放射ノズル２４を設けてなる。
発泡網体２３は先端中央部２３ａがく字状に突出し、後端側が開口された筒状の発泡網体２３に形成され、該発泡網体２３の開口部２３ｂの下端縁にローラー２５を配設し、該ローラー２５が走行するレール２６を発泡機本体２１の下端部に設けて成る。
なお、発泡網体２３は、上記のく字状が上下に複数重ねたものでも良い。
また、図１２に示すとおり、発泡機本体２１の床面中央開口部にスリット２７を穿設し、該スリット２７内を摺動する支持杆２８を発泡網体２３に設けるとともに、該支持杆２８を放射ノズル２４が取り付けられた配管２９に接続され、泡水溶液の放出時に前記泡水溶液の水圧によって、作動する水圧シリンダ３０ピストンロッド１６と接続した発泡網伸縮機構に構成して成る。
【００２３】
上記の様に構成にしたので、火災時に放射ノズル２４から泡水溶液が放出される。この時、水圧シリンダ３０に泡水溶液が入り、シリンダ内のピストンが前方に伸びる。発泡網体下端中央部は、水圧シリンダ３０のピストンロッド１６に取り付けられた支持杆２８と接続されているので、支持杆２８とともに前方へスライドする。
その際、網の左右下端部に取り付けられたローラー２５が発泡機本体２１に設けられたレール２６に沿って動くので、発泡網体２３はスライドし易すく、また、発泡網体２３が発泡機本体２１の先端開口部２２から正確に突出する。
また、発泡機本体２１の下面中央には、支持杆２８が摺動するスリット２７があるが、パッキン１１等を設けることにより、泡水溶液の放出時に泡水溶液が漏れることがない。なお、図中１２は主軸、１３は中軸、１４はカバー、である。
【実施例３】
【００２４】
第３実施例を図１４乃至図１７に基づいて説明する。
図１４及び図１５に示すとおり、筒状に形成された発泡機本体３１先端側に収納された発泡網体３３と、前記発泡機本体３１内部の後端側に設けられ、前記発泡網体３３に向かって泡水溶液を放出する放射ノズル３４とを備えた高膨張泡消火設備の、発泡機本体３１の先端側開口部３２に同心状に配置される発泡網体３３は、図１６及び１７に示すように、端部に先端側は内側に、後端側は外側に折り曲げられた略Ｓ字状のフランジ３５が形成され、先端側に進むにつれて径が小さくなる複数の円筒体３７から成り、円筒体３７の先端側の内側に折り曲げられたフランジ３５と、口径の小さい円筒体３７の後端側の外側に折り曲げられたフランジ３５との間にコイルバネ３６を配設し、径の小さい円筒体３７を径の大きい円筒体３７の内側に置くことで、段々形状に伸び縮みする発泡網体伸縮機構に構成する。
なお、図中３８は、発泡網体３３を発泡機本体３１の開口部に取り付ける固定具である。
【００２５】
発泡網体伸縮機構を上述のように構成したので、泡水溶液の放水時に放射ノズル３４の放水圧を受けた発泡網体３３は、放水圧によって外方向に段々状に突出し、消火剤を泡状に生成放出し、消火作業をおこなえる。
【００２６】
上記のように、火災時に放射ノズル３４から泡水溶液が放出されると、その放出された泡水溶液の水圧で、複数の円筒体からなる発泡網体３３が前方に押し出される。
複数の円筒体は、端部のフランジの四隅にコイルバネを設け、互いが接続されているので、一定距離突出したら、それ以上発泡網体３３は突出しない。
放水後はコイルバネが元に戻る力を利用して、自動的に発泡機本体３１の開口部３２から筐体内に発泡網体３３が突出することなく収納されるので、平常時に邪魔にならない。
【図面の簡単な説明】
【００２７】
【図１】第１実施例の発泡機本体の平常時の側面図である。
【図２】同上の発泡機本体の作動過程時の側面図である。
【図３】同上の発泡機本体の火災時の側面図である。
【図４】同上の発泡機本体の平常時の正面図である。
【図５】同上の発泡網体の上方網を示す図であり、図（ａ）は上方網の正面図、図（ｂ）は上方網の側面図、図（ｃ）は上方網の平面図である。
【図６】同上の発泡網体の下方網を示す図であり、図（ａ）は下方網の正面図、図（ｂ）は側面図、図（ｃ）は斜視図を示す図である。
【図７】下方ヒンジ機構の拡大図である。
【図８】この発明の第２実施例の発泡機本体の平常時の側断面図である。
【図９】同上の発泡機本体の火災時の側断面図である。
【図１０】同発泡機本体の正面図である。
【図１１】同発泡機本体下部（レール）の拡大図である。
【図１２】同発泡網取り付け斜視図である。
【図１３】同発泡機本体下部の拡大図である。
【図１４】この発明の第３実施例の発泡機本体の平常時の側面図である。
【図１５】同上の発泡機本体の火災時の側断面図である。
【図１６】同上の発泡網の分解正面図である。
【図１７】発泡機本体とフランジ部の取り付け例を示す図である。
【符号の説明】
【００２８】
１  発泡機本体  
２  先端開口部
３  発泡網体
４  放射ノズル
５  上方網
６  下方網
６ａ  正面網
６ｂ  側網  
７  上方ヒンジ機構
８  下方ヒンジ機構
９  ロック機構(鉤状係合部材)
１０  鉤穴    
２１  発泡機本体
２３  発泡網体
２３ａ  先端中央部    
２３ｂ  開口部
２４  放射ノズル
２５  タイヤ
２６  レール
２７  スリット
２８  支持杆
２９  配管
３０  水圧シリンダ
３１  発泡機本体
３３  発泡網本体
３４  放射ノズル
３５  フランジ
３６  コイルバネ  
【図１】
0004980282.tif 000002
【図２】
0004980282.tif 000003
【図３】
0004980282.tif 000004
【図４】
0004980282.tif 000005
【図５】
0004980282.tif 000006
【図６】
0004980282.tif 000007
【図７】
0004980282.tif 000008
【図８】
0004980282.tif 000009
【図９】
0004980282.tif 000010
【図１０】
0004980282.tif 000011
【図１１】
0004980282.tif 000012
【図１２】
0004980282.tif 000013
【図１３】
0004980282.tif 000014
【図１４】
0004980282.tif 000015
【図１５】
0004980282.tif 000016
【図１６】
0004980282.tif 000017
【図１７】
0004980282.tif 000018